(57)【要約】【課題】単独の競技用の境界線を表示するにもかかわらず、複数の競技に対する対応が可能になり、清掃による障害や、線自体の破損の可能性の低下、床への椅子等の配置を容易にだれでも正確に椅子等の配置を行え、しかも講義等の場合に邪魔にならない。展示対象物を用意する必要がなく、柔軟性を有し、従来と同様に張付で施工でき、長時間の使用であっても安定的に使用可能である建装材が望まれていた。【解決手段】表示を変更可能な建装材において、電気的駆動信号の供給切断後も表示状態を維持する不揮発性を有することを特徴とする建装材を提供する。【選択図】図１
2004060300.tif 000002
【特許請求の範囲】
【請求項１】
表示を変更可能な建装材において、電気的駆動信号の供給切断後も表示状態を維持する不揮発性を有することを特徴とする建装材。
【請求項２】
用途が床材である事を特徴とする請求項１記載の建装材。
【請求項３】
前記画像表示手段は、所定の色の荷電性粒子が封入されたカプセルに対して電気的駆動信号を与えることで画像表示を行う電気泳動式の表示媒体であることを特徴とする請求項１または２記載の建装材。
【請求項４】
表面が平滑であることを特徴とする請求項１または２または３記載の建装材。
【発明の詳細な説明】
【０００１】
【発明の属する技術分野】
本発明は表示を変更可能な建装材に関するものである。詳しくは表面に表示部を備え、かつ各種表示を選択可能な建装材に関するものである。
【０００２】
【従来の技術】
従来の建装材は、例えば体育館の床材の様な場合、バレーボール、バスケットボール、ハンドボール、バトミントン、ダンス等の複数の競技に用いる複合体育館である場合が多く、その場合にその競技用の境界線が用いられるが、その競技により必要な境界線が同一ではないために、色を変える事により複数の競技に対応できる様にするのが一般的であった。
【０００３】
また、講堂の床材の場合は、椅子や机が固定的ではなく、床に適宜椅子等を配置する場合には、その用途や聴衆の多寡により人数や配列を個別に設計するのが一般的であり、この様な配列の設計につき配列指示図を作成し、その指示図に従って椅子等を配置するのが一般的であった。
【０００４】
さらに、モデルハウスやショールームの場合、様々なデザインのドアや壁等を展示する場合があったが、その展示の対象となる種類だけドアや壁を用意するのが一般的であった。
【０００５】
【発明が解決しようとする課題】
ところが、例えば体育館の床材の様な場合、競技により色を変える事により複数の競技に対応していたために、行っている競技の線と、他の線を誤認する場合があり、競技に支障を来す場合があった。
【０００６】
また、このような線によるテープやペイントによる盛り上がりにより、その部分にゴミ等が溜まる等の、清掃による障害や、線自体の破損の可能性があった。
【０００７】
また、講堂の床材の場合は、床に適宜椅子や机を配置する場合には、その配置の基準となる位置を決定し、順に配置しなければならなかったし、その配置指示図通りに配置できず、間隔等の調整を適宜行わなければならなかったり、配置指示図の明確性が高くなければ作業が混乱する場合があった。
【０００８】
さらに、モデルハウスやショールームの場合、その展示の対象となる種類だけドアや壁を用意するのが一般的であったため、その種類だけの展示スペースを必要とするとともに、そのその展示の対象となる種類だけのドアや壁等の実物を用意する必要があり、輸送の手間等が掛かっていた。
【０００９】
他方、液晶表示装置等を埋め込む場合には、常に表示状態を維持するために電気的駆動信号を給電し続ける必要があり実用的ではなかった。
【００１０】
本発明は、表示状態を維持可能で、しかも簡易な構成で可能な、建装材を提供するものである。
【００１１】
【課題を解決するための手段】
本願発明における請求項１記載の発明は、表示を変更可能な建装材において、電気的駆動信号の供給切断後も表示状態を維持する不揮発性を有することを特徴とする建装材を提供するものである。
【００１２】
また、請求項２記載の発明は、用途が床材である事を特徴とする請求項１記載の建装材を提供するものである。
【００１３】
また、請求項３記載の発明は、所定の色の荷電性粒子が封入されたカプセルに対して電気的駆動信号を与えることで画像表示を行う電気泳動式の表示媒体であることを特徴とする請求項１または２記載の建装材を提供するものである。
【００１４】
また、請求項４記載の発明は、表面が平滑であることを特徴とする請求項１または２または３記載の建装材を提供するものである。
【００１５】
【発明の実施の形態】
以下、本発明を図１から図１３を用いて実施の形態を詳細に説明する。
【００１６】
（１）表示制御の構成
マイクロコンピュータ等のコンピュータとメモリを有する制御部１は、図８に示すようにＲＯＭ２およびＲＡＭ３を内蔵するＣＰＵ４と、データを格納するメモリ５、表示部６を駆動するドライバ７、外部から電源の供給および情報の入出力を行なう接続端子８とから構成されている。
【００１７】
制御部１に対しては、外部接続用の接続端子８を通じて、電源電圧（Ｖｐｐ，Ｖｃｃ）、接地電圧（ＧＮＤ）が供給され、また、制御信号としてリセット信号（ＲＳＴ）、入力信号（Ｉ／Ｏ）、クロック信号（ＣＬＫ）が入出力されて、ＣＰＵ、メモリ、表示部およびドライバに対し必要に応じて供給される、と同時に、表示部にも必要に応じて供給される。
【００１８】
制御部１の内部では、ＣＰＵ４とメモリ５がコントロールバスを通じて接続され、ＣＰＵ４による制御のもと、メモリ５の所定のアドレスに所望のデータが格納され、またＣＰＵ４又はメモリ５の内容は外部からの電力の供給によりドライバ７の制御に基づき表示部６に表示可能になっている。
【００１９】
（２）表示部の構成
表示に際してはバックライトが無くても十分なコントラストを有するものを好適に使用できる。これは柔軟性を有する薄い基板上に、エレクトロルミネセンス材料、ポリマー分散型液晶（ＰＤＬＣ）、ポリマー安定型液晶、スメクティック液晶、強誘電性液晶、マイクロカプセル型電気泳動方式を用いた表示体等を組合せることで実現できる。特に、マイクロカプセル型電気泳動方式を用いた表示体を用いると、従来の紙に近い画像の表示が可能となる。
【００２０】
表示部６にフィルム式のマイクロカプセル型電気泳動方式の表示部を用いる場合について詳細に説明する。
【００２１】
表示部１１の断面図を図９に示す。
【００２２】
建装材の構造は、メラミン樹脂、フェノール樹脂、ユリア樹脂、塩化ビニル樹脂、ジアリルフタレート樹脂、不飽和ポリエステル樹脂、アミノアルキッド樹脂、ポリウレタン樹脂、グアナミン樹脂に何れか１つまたはそれらの組み合わせからなる構造を持つ基材１１ｅ上に、電極フィルム１１ｄ、画像表示層１１ｃ、電極フィルム１１ｂ及びこの表示部を保護する表面保護層１１ａが積層されている。なお、表面保護層１１ａは省略することも可能である。
【００２３】
表面保護層１１ａの材質としては、画像表示層１１ｃからの表示を透過するような特性を持つ材質が好ましい。さらに、下層に物理的な影響を与えないような特性を持つ材料が好まし。これらの両方の特性を持つ材料としては、例えば強化ガラス、強化プラスチックなどを用いる事が可能である。
【００２４】
電極フィルム１１ｂはポリエチレンテレフタレート（ＰＥＴ）、ポリエチレンナフタレート（ＰＥＮ）、ポリイミド等の寸法安定性の優れた透明なプラスチックフィルムに電極が形成されているものである。電極フィルム１１ｄも同様な基材の電極が形成されてなるものであるが、必ずしも透明性は要求されない。
【００２５】
電極の方式は任意のものを選択可能であるが、下記のようなマイクロカプセル型電気泳動方式を用いる場合は、電極フィルム１１ｂは全面に同一の電位がかかる共通電極とし、電極フィルム１１ｄにはアクティブマトリックス電極、セグメント電極等による電極を採用することができる。
【００２６】
画像表示層１１ｃにマイクロカプセル型電気泳動方式に用いた場合の構成について説明する。
【００２７】
マイクロカプセル１１０の一例を図１０に示す。マイクロカプセル１１０は、メタクリル酸樹脂、ユリア樹脂、アラビアゴム等をカプセル殻１１１とし、内部には酸化チタンからなる白の粒子１１３とカーボンブラックからなる黒の粒子１１４が、シリコーンオイル等の粘性の高い分散媒で分散され封入されている。白の粒子である酸化チタンは正電荷を帯びており、一方黒の粒子であるカーボンブラックは負電荷を帯びている。
【００２８】
このため、図１１（ｂ）に示すように、二つの電極フィルム１１ｂ、１１ｄに電界を印加して、電極フィルム１１ｂが負極、電極フィルム１１ｄが正極になった場合、正に帯電した白の粒子１１３が電極フィルム１１ｂ側に引かれ、黒の粒子１１４が電極フィルム１１ｄ側に引かれるので、少なくとも電極フィルム１１ｂを透明電極としておき、電極フィルム１１ｂ側の上方から観察するとその部分が白く見える。
【００２９】
逆に電極フィルム１１ｂが正極、電極フィルム１１ｄが負極になった場合、正に帯電した白の粒子１１３が電極フィルム１１ｄ側に引かれ、黒の粒子１１４が電極フィルム１１ｂ側に引かれるので、電極フィルム１１ｂの上方から観察するとその部分が黒く見える。
【００３０】
画像表示層１１ｃは、このようなマイクロカプセル１１０を多数有しており、電極フィルム１１ｂ、１１ｄの各アドレス電極の電界を制御することで、図１１（ａ）で「Ａ」という文字を黒で表示したように、所望の文字や図形を白と黒の画素で表示させることができる。
【００３１】
上記の例に於いては、マイクロカプセルは白黒の２種類の粒子を含有させたモノクロ（白黒）の表示であるが、粒子の位置を電位のかけ方で多段階に調整することで中間調の表示を行うこと、異なる色の粒子を含有させてカラー表示させる或いは２種類以上の粒子を含有させることなども可能である。
【００３２】
また、上記のマイクロカプセルでは白黒の２種類の粒子を含有させているが、１種類の粒子を用い、分散媒を黒に着色させることでもモノクロ（白黒）表示を実現することができる。
【００３３】
すなわち、図１２に示すように白の粒子である酸化チタンを正電荷に帯電させ、黒に着色した分散媒１１５に分散させたマイクロカプセルを用い、二つの電極フィルム１１ｂ、１１ｄに電界を印加して、電極フィルム１１ｂが負極、電極フィルム１１ｄが正極になった場合、正に帯電した白の粒子１１３が電極フィルム１１ｂ側に引かれ、黒に着色した分散媒１１５は必然的に１１ｄの電極フィルム側に押し下げられるので、電極フィルム１１ｂ側の上方から観察するとその部分が白く見える。逆に、電極フィルム１１ｂが正極、電極フィルム１１ｄが負極になった場合、正に帯電した白の粒子１１３が電極フィルム１１ｄ側に引かれ、黒に着色した分散媒１１５は必然的に電極フィルム１１ｂ側に押し上げられるので、電極フィルム１１ｂ側の上方から観察するとその部分が黒に見える。
【００３４】
マイクロカプセルをアクティブマトリックス駆動法で駆動する場合は、電極フィルム１１ｄは画素電極として画素毎に独立してパターニングされ、図示しない薄膜トランジスタ、信号電極、および走査電極を併設し、電極フィルム１１ｂは光透過性基材上に一様に形成された透明な共通電極とする。この場合、電極フィルム１１ｂを共通電極にすると全面同一電位になるので、電極フィルム１１ｄ側の各アドレス電極の電界を制御することで、上記の原理に基づき電極位置のマイクロカプセル内の粒子を移動させ、所望の画像を表示させることができる。
【００３５】
同様に、電極フィルム１１ｄを共通電極とし（電位をゼロとする）、電極フィルム１１ｂ側の各アドレス電極の電界を制御する（正または負の電位を与える）ことで、電極位置のマイクロカプセル内の粒子を移動させることで所望の画像を表示させるようにしてもよい。
【００３６】
時分割駆動の場合は、電極フィルム１１ｂ、１１ｄは互いに直交するライン状のＩＴＯ（Ｉｎｄｉｕｍ　Ｔｉｎ　Ｏｘｉｄｅ：インジウムスズ）等の透明導電体からなる透明電極により構成され、両電極の交わる領域にマイクロカプセルを形成する。
【００３７】
もちろん、駆動方式は上述したものに限定されず、用途に応じて最適なものを選択すればよい。
【００３８】
マイクロカプセルの径は、種々のものを採用することが可能だが、約４０μｍ〜約１００μｍのものを採用すると十分な解像度と応答性を得ることができる。表示画像の解像度は主として電極フィルム中の電極の配置（解像度）に依存するが、マイクロカプセルの径が小さければ分散媒中のマイクロカプセルの移動速度が速くなり、結果として表示の際の応答性に優れる（応答速度が速い）というメリットがある。
【００３９】
上記の例では、モノクロ（白黒）の画像表示の例であるが、カラー画像表示の場合には図１３に示すように画素単位に分割されたＲ（赤），Ｇ（緑），Ｂ（青）の色を有するカラーフィルタ１１ｆを画素単位で電界を印加することができる透明な電極フィルム１１ｂ側に設けることで実現できる。
【００４０】
すなわち、白い粒子が電極フィルム１１ｂ側に引かれている部分の観察光は白粒子で反射されカラーフィルタを通過してくるので、カラーフィルタの色が観察されることになる。
【００４１】
図１３の例では、カラーフィルタのＲ画素部及びＧ画素部は白い粒子が電極フィルム１１ｂの透明電極側に引かれているのでＲ光及びＧ光が観察され、カラーフィルタのＢ画素部は黒い粒子が電極フィルム１１ｂの透明電極側に引かれているので観察光は吸収されＢ光は観察されない。このように、画素単位で観察されるＲ，Ｇ，Ｂ光を制御することでカラー画像表示が可能となる。なお、図１２では電極１１ｄを共通電極としているが、電極１１ｂ側を共通電極としても良い。
【００４２】
ペーパー状電子表示部は可撓性を有する材料で作製され、電極等のパターニングも印刷法、蒸着法でプラスチックフィルムに形成することが可能である。表示画面サイズも、用途、要望に応じて任意のサイズのものを作成することができる。また、フィルムを用いて作製されているため嵩張らず軽い表示媒体であり、本発明の表示媒体として好適に用いることが可能である。
【００４３】
画像表示層１１ｃにおいては、マイクロカプセル１１０の位置配置は多少の変動があっても表示に問題は生じない。従って、折り曲げて使用したり、曲面の箇所に取付けて使用することなども可能である。
【００４４】
各粒子は粘性の高い分散媒に分散されており、一度電界を印加した後は電源が切断されても粒子の位置が変化しない。このように、表示部の電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００４５】
さらに、表示部１１内においては、マイクロカプセル１１０の位置配置は多少の変動があっても表示に問題は生じない。したがって電極シート１１ｂ、１１ｄを含め、表示部１１全体を薄く可撓性を持たせる材料を用いることで、紙のような柔軟性を持たせることができる。
【００４６】
また、黒い粒子１１４のカーボンブラックは、通常の印刷を行うインクと同じ材料であるので、極めて紙の印刷物に近い自然な表示を行うことが可能となる。
【００４７】
例として液晶表示装置（ＬＣＤ）と比較してみる。
【００４８】
液晶表示装置における表示媒体自身は薄いもので約５μｍに対し、電気泳動型表示部は現在数十約μｍ（４０μｍ〜７０μｍ程度）厚いものである。しかし、表示媒体を保護ずる保護層としてガラス保護層等があるため折り曲げることができず、施工が困難である以上に、建装材として施工後割れなどの問題が起きやすく、特に床材としての使用は、相当な厚みのものでなければ困難である。
【００４９】
一方、電気泳動式ので表示部ならば、ガラス等の保護層等も不要であり、全体をフィルム構成とすることで、容易に１ｍｍ以内とすることが可能であり、折り曲げ等も可能である。さらに、画像のメモリー効果を有するので、画像の描画や書換え時以外は電力が不要であるので建装材に好適に用いることができる。
【００５０】
（３）システム構成と各部の機能
制御部１は、競技に合った境界線や、移動用椅子などの配置などに関するデータ等を記憶している。
【００５１】
ＲＯＭ２は制御部１の動作を規定するプログラム、パスポートに関する各種情報などを格納した不揮発性メモリである。
【００５２】
メモリ５はＥＥＰＲＯＭ等からなり、データを書換え可能に格納する不揮発性メモリであり、新規格の椅子等が表れたときの対処用に、建装材の表示を規定するプログラムはメモリ５に格納するようにしても良い。
【００５３】
表示部６への情報の表示はＲＯＭ２内のプログラムおよびドライバ７の制御に基づいて行なう。
【００５４】
（４）情報の種類
▲１▼　境界線情報
競技の種類に応じて、そのルールに定められた境界線を表示する他、この内容を電子データとしてＲＯＭ２に書込む。
【００５５】
▲２▼　座席に関する情報
座席に関する情報をメモリ５に書き込み、必要なものをディスプレイ等に表示させる。
【００５６】
情報としてはどの椅子や机を何脚、どの様な配列で設置するのかをディスプレイ等に表示する。なお、具体的配列が指定されているのであれば、そのままの配列情報だけで良い。
【００５７】
▲３▼　デザイン情報
壁、ドアなどの表示位置とその絵柄に関する情報を表示するようにする。
【００５８】
（５）処理の流れ
建装材の処理の流れを図１から図７を用いて説明する。なお、本処理前の建装材は初期状態が非表示であるものとして説明するが、他の表示が初期状態であっても構わないものである。
【００５９】
「１」運動使用時
図１の動作の流れによって以下説明する。
【００６０】
＜１＞電源オン
まず、制御部３１に電源を投入すると、表示装置３２にまず建装材の目的選択メインメニューを図３の様に表示する。
【００６１】
この表示には、大分類５１、５２別に中分類が選択可能に表示されている。本例では、大分類５１、５２として体育館、ショールームが表示されている、もちろんその他の大分類があっても構わない。
【００６２】
各々の大分類５１、５２の中には中分類５３〜５８が選択可能になっている、各々スポーツ、イベント、その他及び、ドア、壁、その他である。
【００６３】
＜２＞使用目的選択
次に、表示装置３２にまず建装材の選択メインメニューの中から中分類５３を一つ選択する。これにより、表示装置３２に建装材の目的選択サブメニューを図４の様に表示する。
【００６４】
この表示には、用途６１が選択可能に表示されている。本例では、バレーボール、バスケットボール、バトミントン、卓球、ハンドボール、フェンシング、剣道が表示され、この中から適宜選択、例えばバレーボールを選択する様になっている。
【００６５】
＜３＞建装材表示変更
次に、この用途選択ののち、決定ボタン６２をクリックする。
【００６６】
例えばバレーボールを選択した場合、建装材がバレーボールの線を表示４２する。
【００６７】
＜４＞電源オフ
制御部３１の電源を遮断すると、例えば、建装材がバレーボールの線を表示４２した状態で電源が遮断されてオフとなるが、表示の変更がなされず、建装材がバレーボールの線を表示４２した状態が維持される。
【００６８】
＜５＞建装材表示継続
例えば、建装材がバレーボールの線を表示４２した状態でバレーボールを行って実際に体育館として使用するが、何等使用に支障がなく、また、他の用途の線などの表示もなく、表示が明瞭であった。
【００６９】
＜６＞電源オン
また、制御部３１に電源を投入すると、表示装置３２にまず建装材の目的選択サブメニューを図４の様に上記＜３＞と同様に表示する。
【００７０】
この表示には、中分類５３中の用途６１が選択可能に表示されている。本例では、バレーボール、バスケットボール、バトミントン、卓球、ハンドボール、フェンシング、剣道が表示され、この中のバレーボールが選択されいる事が表示されている。
【００７１】
＜７＞使用目的選択
本例では、選択されている用途以外の用途を適宜選択、例えばバスケットボールを選択すると、選択が変更され、バレーボールの選択が解除される様になっている。
【００７２】
もちろん、その他に目的選択メインメニューに行く事も可能になっている。
【００７３】
＜８＞建装材表示変更
次に、この用途選択ののち、決定ボタン６２をクリックする。
【００７４】
例えばバスケットボールが選択されている場合、建装材がバスケットボールの線を表示４３する。
【００７５】
＜９＞電源オフ
制御部３１の電源を遮断すると、例えば、建装材がバスケットボールの線を表示４２した状態で電源が遮断されてオフとなるが、表示の変更がなされず、建装材がバスケットボールの線を表示４２した状態が維持される。
【００７６】
＜１０＞建装材表示継続
例えば、建装材がバスケットボールの線を表示４２した状態でバスケットボールの使用、例えば試合等を行って実際に体育館として使用するが、何等使用に支障がなく、また、他の用途の線などの表示もなく、表示が明瞭であった。
【００７７】
「２」その他使用時
図２の動作の流れによって以下説明する。
【００７８】
＜１＞電源オン
まず、制御部３１に電源を投入すると、表示装置３２にまず建装材の目的選択メインメニューを上記「１」と同様に、図３の様に表示する。
【００７９】
＜２＞使用目的選択
次に、表示装置３２にまず建装材の選択メインメニューの中から中分類５５を一つ選択する。これにより、表示装置３２に建装材の目的選択サブメニューを図４の様に表示する。
【００８０】
この表示には、用途６３が選択可能に表示されている。本例では、講演、身体検査、健康診断、清掃、表示消去が表示され、この中から適宜選択、例えば講演を選択する様になっている。
【００８１】
＜３＞建装材表示変更
次に、この用途選択ののち、決定ボタン６４をクリックする。
【００８２】
すると、例えば図６に示す様な別な指示画面になり、座席配置の指示内容６７、６８、例えば椅子のみの配置か、机も必要とするものなのか、およびその具体的配置個数を指示するものである、指示内容は、選択的指示内容６７であっても、入力的指示内容６８であっても構わず、また、寄せ具合なども指示できる仕組みや、座席数より直接配置を計算させる形式であっても構わない。
【００８３】
最後に、この指示内容決定ののち、決定ボタン６９をクリックする。
【００８４】
＜４＞電源オフ
制御部３１の電源を遮断すると、例えば、建装材が座席配置の枠線を表示４５した状態で電源が遮断されてオフとなるが、表示の変更がなされず、建装材が座席配置の枠線を表示４５した状態が維持される。
【００８５】
＜５＞座席設置
例えば、建装材が座席配置の枠線を表示４５した状態で実際に椅子５１の配置を行うが、何等使用に支障がなく、また、他の用途の線などの表示もなく、表示が明瞭であった。
【００８６】
＜６＞電源オン
また、制御部３１に電源を投入すると、表示装置３２にまず建装材の目的選択サブメニューを図５の様に上記＜３＞と同様に表示する。
【００８７】
この表示には、中分類５５中の用途６３が選択可能に表示されている。本例では、講演、身体検査、健康診断、清掃、表示消去が表示され、この中から適宜選択、例えば講演が選択されいる事が表示されている。
【００８８】
＜７＞使用目的選択
本例では、選択されている用途以外の用途を適宜選択、例えば表示消去を選択すると、選択が変更され、座席配置の枠線が消去される様になっている。
【００８９】
＜８＞建装材表示変更
次に、この用途選択ののち、決定ボタン６４をクリックする。
【００９０】
例えば椅子５１を残したまま表示が消える。
【００９１】
＜９＞電源オフ
制御部３１の電源を遮断すると、例えば、建装材の表示が消えた状態が維持され、講演に使用する。
【００９２】
＜１０＞建装材表示継続
講演が終了するまで線などの表示もなく、表示が明瞭であった。
【００９３】
「３」ドア使用時
次に、表示装置３２にまず建装材の選択メインメニューの中から中分類５７を一つ選択する。これにより、表示装置３２に建装材の目的選択サブメニューを図７の様に表示する。
【００９４】
この表示には、用途６５が選択可能に表示されている。本例では、木目、縦縞、格子模様が表示され、この中から適宜選択、例えば木目を選択する様になっている。
【００９５】
＜３＞建装材表示変更
次に、この用途選択ののち、決定ボタン６６をクリックする。
【００９６】
すると、木目模様が表示される。その他は、他の例の様に動作する。
【００９７】
上記実施の形態は、表示部６をドライバ７でコントロールし、内部的な処理で表示を行なうものであるが、画像の表示は外部電極を用いて行なうことも可能である。
【００９８】
【発明の効果】
本発明によれば、以下のような効果がある。
【００９９】
例えば体育館の床材の様な場合、競技により色を変える事なく、単独の競技用の境界線を表示するのみなので、行っている競技の線と、他の線を誤認する場合がなくなり、競技に支障を来さなくなるにもかかわらず、複数の競技に対する対応が可能になった。
【０１００】
また、このような線によるテープやペイントによる盛り上がりにより、その部分にゴミ等が溜まる等の、清掃による障害や、線自体の破損の可能性が低くなった。
【０１０１】
また、講堂の床材の場合は、床に適宜椅子や机を配置する場合には、指示された枠線に配置するのみなので、容易にだれでも正確に椅子等の配置を行え、しかも講義等の場合に邪魔にならない。
【０１０２】
さらに、モデルハウスやショールームの場合、その展示の対象となる種類だけドアや壁を用意する必要がなくなり、その種類だけの展示スペースが不要となるとともに、そのその展示の対象となる種類だけのドアや壁等の実物を用意する必要がなくなり、輸送の手間等が不要になった。
【０１０３】
さらにこの建装材は柔軟性を有するので、従来の建装材と同様に張付で施工することができる。
【０１０４】
また、電気泳動式の表示部を用いることで電力および画像信号の供給がなくても画像を維持できるので、消費電力が少ないので、例え長時間の使用であっても安定的に使用可能である。
【図面の簡単な説明】
【図１】本願発明の建装材の動作と表示の関連を説明する表示関連説明図である。
【図２】本願発明の建装材の図１とは違う動作と表示の関連を説明する表示関連説明図である。
【図３】表示装置に示す目的選択メインメニューの表示を示す正面図である。
【図４】表示装置に示す目的選択サブメニューの表示を示す正面図である。
【図５】表示装置に示す図４とは違う目的選択サブメニューの表示を示す正面図である。
【図６】表示装置に示す指示画面を示す正面図である。
【図７】表示装置に示す図４および図５とは違う目的選択サブメニューの表示を示す正面図である。
【図８】本願発明の建装材の配線図である。
【図９】本願発明の建装材に用いられる表示部の概略断面図である。
【図１０】本願発明の建装材に用いられるマイクロカプセルの概略断面図である。
【図１１】本願発明の建装材に用いられるマイクロカプセルの駆動状態と表示の関連説明斜視図である。
【図１２】本願発明の建装材に用いられる図１０マイクロカプセルとは別のマイクロカプセルを用いた場合の駆動状態の説明斜視図である。
【図１３】本願発明の建装材に用いられるマイクロカプセルの駆動状態によるカラー化表示の説明断面図である。
【符号の説明】
１　　　建装材
２　　　ＲＯＭ
３　　　ＲＡＭ
４　　　ＣＰＵ
５　　　メモリ
６　　　表示部
７　　　ドライバ
８　　　接続端子
１１　　表示部
１１ａ　表面保護層
１１ｂ　電極フィルム
１１ｃ　画像表示層
１１ｄ　電極フィルム
１１ｅ　基材
１１ｆ　カラーフィルタ
２１　　制御部
３１　　制御部
３２　　表示装置
３３　　メモリ
３４　　表示部
４１〜４４　　表示部
５１、５２　　大分類
５３〜５８　　中分類
６１、６３、６５　　用途
６２、６４、６６、６９　　決定ボタン
６７、６８　　指示
１１０　マイクロカプセル
１１１　カプセル殻
１１３　白の粒子
１１４　黒の粒子
１１５　分散媒
【図１】
2004060300.tif 000003
【図２】
2004060300.tif 000004
【図３】
2004060300.tif 000005
【図４】
2004060300.tif 000006
【図５】
2004060300.tif 000007
【図６】
2004060300.tif 000008
【図７】
2004060300.tif 000009
【図８】
2004060300.tif 000010
【図９】
2004060300.tif 000011
【図１０】
2004060300.tif 000012
【図１１】
2004060300.tif 000013
【図１２】
2004060300.tif 000014
【図１３】
2004060300.tif 000015